(57)【要約】【課題】スーパーマーケット又はコンビニエンスストア等において、購入商品をエコバッグやレジ袋への詰め替え作業を不要とし、常に衛生的で、購入商品の包み込み、緊縛作業が容易であり、かつ携行に至便で、従来の風呂敷のイメージを払拭して見映えと使い勝手が良好な風呂敷状エコバッグを提供する。【解決手段】バッグＡは、周縁部を裏面側に折り返して縫製された矩形状の本体１、周縁部の長辺及び短辺の対向位置に設けられた係止手段２及び３、短辺の中心両端部に取り付けられたリング４及び５、リング４及び５に着脱可能に取り付けられた装飾体６及び７、飾り片８から構成されている。【選択図】図１
0003146190.tif 000002
【実用新案登録請求の範囲】
【請求項１】
スーパーマーケット、コンビニエンスストア等において有料又は無料で頒布されるレジ袋もしくは顧客持参の布製又は樹脂製エコバッグに替えて使用される風呂敷状エコバッグであって、
周縁部を裏面側に折り返して縫製された矩形状の本体と、
前記周縁部の長辺及び短辺の対向位置に設けられた係止手段と、
前記短辺の中心両端部に取り付けられたリングと、
当該リングに着脱可能に取り付けられた装飾体とからなる、
ことを特徴とする風呂敷状エコバッグ。
【請求項２】
前記本体は、スーパーマーケット、コンビニエンスストア等で顧客に貸与される買物かご内に収容されたとき、少なくとも当該買物かごの周枠を越える余白部を有する広さである、
ことを特徴とする請求項１に記載の風呂敷状エコバッグ。
【請求項３】
前記本体の表面及び裏面は、撥水又は防水加工されている布体である、
ことを特徴とする請求項１〜請求項２の何れかに記載の風呂敷状エコバッグ。
【請求項４】
前記係止手段が、雌雄一対からなるホック又は面状ファスナーである、
ことを特徴とする請求項１〜請求項３の何れかに記載の風呂敷状エコバッグ。
【請求項５】
前記装飾体が、リボンテープ、紐状体、造花、キャラクターグッズ又は模造宝石である、
ことを特徴とする請求項１〜請求項４の何れかに記載の風呂敷状エコバッグ。
【請求項６】
前記周縁部の長辺又は短辺の何れかの周縁部にキーホルダーが取り付けられている、
ことを特徴とする請求項１〜請求項５の何れかに記載の風呂敷状エコバッグ。
【請求項７】
前記本体の表面周縁部には飾り片が縫着又は刺繍されている、
ことを特徴とする請求項１〜請求項６の何れかに記載の風呂敷状エコバッグ。
【考案の詳細な説明】
【技術分野】
【０００１】
本考案は、風呂敷状エコバッグに関し、より詳しくは、スーパーマーケット又はコンビニエンスストア等において、商品購入後に有料又は無料で頒布されるポリエチレン製袋、いわゆるレジ袋や顧客が持参するエコバッグ（マイバッグともいう）を用いないで、購入商品の代金精算後、買物かご内の商品を商品詰め替え台で詰め替え作業を行うことなく、購入商品をレジ台又は商品詰め替え台で直接包み込んで持ち帰るための風呂敷状エコバッグに関する。
【背景技術】
【０００２】
近年、地球温暖化及び資源保護の観点から、スーパーマーケット又はコンビニエンスストア等においては、従来から無料頒布していたレジ袋を有料化にする傾向となっている。顧客は、これに対応し、市販又は手製のエコバッグを店舗に持参するか又は有料のレジ袋を購入するようになっている。顧客は、店舗内で所望する商品を買物かごに収容し、代金精算のため買物かごをレジ台に運び、レジ担当店員は、買物かごから商品を一つづつ買物かごから取り出し、その価格をセンサーで読み込ませてレジに入力し、代金を入力し終わった商品をレジ横に並置している別の空の買物かごに一時的に移し、全商品の購買代金の精算が終了すれば、顧客は頒布されたレジ袋と共に購入商品が入った買物かごを商品詰替え台まで運び、商品毎に必要な商品例えば、冷凍食品、水産加工品又は漬け物等のように水分が滲み出す商品等は、小サイズのポリ袋に収納してから、他の購入商品と共に自らが持参したエコバッグ又はレジ袋に詰め替えて自宅等に持ち帰っている。
【０００３】
スーパーマーケット又はコンビニエンスストア等における買物用のエコバッグとして、特許文献１〜特許文献３が開示されている。特許文献１の特開２００２−１４２８３１「エコエコバッグ」は、廃棄物の焼却を極端に減少させ、今日のごみ焼却による地球の環境の悪化の防止を目的に、デパート、又は、スーパーマーケット等の食品売場にて何回でも簡単に使用でき、使用後も廃棄せず、かつ収納して再び持ち運びして使用できる環境に優しいエコバッグを提供することを課題とし、その解決手段は、袋バッグの円周縁部に適合させ各々縫い込んだ袋バッグ拡張作用のピアノ線により、誰にでもカゴの内面に簡単に広げられ、かつ、袋バッグの不使用時には、ピアノ線を重ねて、袋バッグを最小に巻いて折り畳み、携帯用カバンに収納する構成としている。
【０００４】
特許文献２の登実３１０６７２４「買物用かばん」は、かごの機能とビニル袋の代わりに半永久的に使える機能を一体化することを課題とし、その解決手段は、かばんの左・右上部分にフックを付着させ、かばんの中心部（入れ口）はマジックテープ（登録商標名）とゴムを設け、その面を外し開けて両方にあるフックを買物用カートの左・右上部分に掛け固定して使用したり、フックを掛け外すとゴムの力で中心部分が開閉自在となる構成としている。
【０００５】
特許文献３の登実３１０１７６２「エコバッグ及びエコバッグ専用ホルダー」は、レジ係がレジ打ちを行いながら商品をスムーズに詰め込むことができるエコバッグ及びエコバッグ専用ホルダーを提供することを課題とし、その解決手段は、エコバッグのバッグ本体底面部の上には下敷板が取り外し自在に載置され、バッグ本体の第１側面部には第１挿入穴が、第２側面部には第２挿入穴がそれぞれ貫通形成されている。前記エコバッグを保持するエコバッグ専用ホルダーの基板部にはホルダー棒が立設され、ホルダー棒の先端部には挿入傾斜部が形成され、ホルダー棒の先端部には挿入傾斜部が形成されている。また、挿入傾斜部の基部と挿入傾斜部の基部には係止リブが横架された構成としている。
【特許文献１】特開２００２−１４２８３１号公報
【特許文献２】登録実用新案第３１０６７２４号公報
【特許文献３】登録実用新案第３１０１７６２号公報
【考案の開示】
【考案が解決しようとする課題】
【０００６】
上記、特許文献１〜特許文献３のスーパーマーケット又はコンビニエンスストア等における買物用の「エコバッグ」ないし「買物用かばん」は、地球温暖化及び資源保護の観点から有意義な提案ではあるが、顧客は、購入商品の代金精算終了後、買物かごを商品詰め替え台まで運び、持参したバッグやレジ袋に購入商品を詰め替える作業を行う煩わしさがあり、特にスーパーマーケットの開店時における商品詰め替え台と周辺は、買物かごを運ぶ顧客と商品を詰め替える顧客とで混雑状態になり、顧客は不快感を覚えることがある。さらに特許文献１〜特許文献３の「エコバッグ」等は、いずれもその構造上、バッグ内底部の塵埃除去や洗浄が困難であり、生鮮食料品等を収納するバッグとしては、衛生上、好ましくない。
【０００７】
本考案における課題は、スーパーマーケット又はコンビニエンスストア等において、購入商品をエコバッグやレジ袋への詰め替え作業を不要とし、常に衛生的で、購入商品の包み込み、緊縛作業が容易であり、かつ携行に至便で、従来の風呂敷のイメージを払拭して見映えと使い勝手が良好な風呂敷状エコバッグを提供することにある。
【課題を解決するための手段】
【０００８】
本願考案者は、上記従来技術に鑑みて鋭意検討を重ね、特に、日本古来からの風呂敷が、西洋渡来のバッグに比べ、包むものの大小・形状にとらわれることなく変幻自在に包むことができること、包むものがないときは、折り畳むか巻回して小さくすることができ、軽量であること等、その融通性・自在性が地球温暖化及び資源保護に貢献することに着目し、本考案を完成させたものである。課題を解決するための手段は、本願、実用新案登録請求の範囲の各請求項に記載の考案であり、その具体的な解決手段は以下の通りである。
＊＊＊＊＊＊＊＊＊＊＊＊＊＊＊＊＊＊＊＊＊＊＊＊＊＊＊＊＊＊＊＊＊＊＊＊＊＊＊＊
本考案の明細書、図面に記載の用語についての解釈上の疑義を解消すべく、以下に本願明細書、図面に記載する用語の説明を行うこととする。
〈用語の説明〉
○ レジ袋とは、顧客がスーパーマーケット、コンビニエンスストア等での商品購入時に有料又は無料で頒布されるポリエチレン製の透明又は半透明の袋をいう。スーパーマーケット、コンビニエンスストア等の各店舗は、地球温暖化及び資源保護の観点からレジ袋を有料化する傾向が見られる。
○ エコバッグとは、スーパーマーケット、コンビニエンスストア等で有料で頒布されるレジ袋に替えて、顧客が店舗に持参する買物用の布製又は軟質樹脂製バッグをいう。エコバッグは、マイバッグとも称され、顧客の多くは近年、地球温暖化防止や資源保護のために、レジ袋の使用を少なくすることを意識し、手作り又は市販のエコバッグを持参するようになっている。
○ 買物かごとは、スーパーマーケット、コンビニエンスストア等に常備されている、上方が開口された硬質樹脂製箱状の提げ手付きのかごをいう。一般的には、長辺が約４５ｃｍ〜５０ｃｍ、短辺が約３２ｃｍ〜３６ｃｍ、深さ約２２ｃｍ〜２５ｃｍとされている。
○ レジとは、レジスター（料金徴収端末）の略称で、顧客が購入した商品をセンサーで入力し、代金を精算する。
○ レジ台とは、レジ及び商品代金をレジに入力するセンサー、購入商品を収容した買物かご及び顧客の購入商品等を載置する台をいう。
○ 商品詰め替え台とは、顧客が代金精算済みの商品が入った買物かごを、レジ台から移載する台をいう。顧客は、スーパーマーケット等で有料又は無料で頒布されたレジ袋もしくはエコバッグに商品を詰め替え、買物かごは所定の保管場所に返却する。
○ 装飾体とは、風呂敷本体のリングに着脱可能に取り付けられる、リボンテープ、紐状体、造花、キャラクターグッズ又は模造宝石等をいう。旧来の風呂敷の見映え、体裁の悪さ等を払拭するために装着される。
○ 飾り片とは、風呂敷本体の表面周縁部に縫着又は刺繍される、例えばフリルやレース地をいう。これにより、装飾体と共に旧来の風呂敷の見映え、体裁の悪さ等を払拭し、ファッション性あるバッグとするものである。
＊＊＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第６考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
第７の考案は、請求項７に記載の考案であり、
具体的な解決手段は、以下の通りである。      
【０００９】
［第１の考案］
上記の課題を解決するための第１の考案は、
「スーパーマーケット、コンビニエンスストア等の有料又は無料で頒布されるレジ袋もしくは布製又は樹脂製エコバッグに替えて使用される風呂敷状エコバッグであって、
周縁部を裏面側に折り返して縫製された矩形状の本体と、
前記周縁部の長辺及び短辺の対向位置に設けられた係止手段と、
前記短辺の中心両端部に取り付けられたリングと、
当該リングに着脱可能に取り付けられた装飾体とからなる」
ことを特徴としている。
【００１０】
［第２の考案］
上記の課題を解決するための第２の考案は、
「前記本体は、スーパーマーケット、コンビニエンスストア等で顧客に貸与される買物かご内に収容されたとき、少なくとも当該買物かごの周枠を越える余白部を有する広さである」
ことを特徴とする、請求項１に記載の風呂敷状エコバッグである。
【００１１】
［第３の考案］
上記の課題を解決するための第３の考案は、
「前記本体の表面及び裏面は、撥水又は防水加工されている布体である」
ことを特徴とする、請求項１〜請求項２の何れかに記載の風呂敷状エコバッグである。
【００１２】
［第４の考案］
上記の課題を解決するための第４の考案は、
「前記係止手段が、雌雄一対からなるホック又は面状ファスナーである」
ことを特徴とする、請求項１〜請求項３の何れかに風呂敷状エコバッグである。
【００１３】
［第５の考案］
上記の課題を解決するための第５の考案は、
「前記装飾体が、リボンテープ、紐状体、造花、キャラクターグッズ又は模造宝石である」
ことを特徴とする、請求項１〜請求項４の何れかに風呂敷状エコバッグである。
【００１４】
［第６の考案］
上記の課題を解決するための第６の考案は、
「前記周縁部の長辺又は短辺の何れかの周縁部にキーホルダーが取り付けられている」
ことを特徴とする、請求項１〜請求項５の何れかに風呂敷状エコバッグである。
【００１５】
［第７の考案］
上記の課題を解決するための第７の考案は、
「前記本体の表面周縁部には飾り片が縫着又は刺繍されている」
ことを特徴とする、請求項１〜請求項６の何れかに風呂敷状エコバッグである。
【考案の効果】
【００１６】
本考案に係る、風呂敷状エコバッグは、上記のような特徴的構成用件から構成され、特徴的構成用件に応じた、以下のような本考案特有の効果を奏する。
また、上記のような特徴的構成用件から構成された風呂敷状エコバッグによれば、本考案の課題を十分解消することができる。
【００１７】
○ 第１の考案の効果
第１の考案によれば、
「スーパーマーケット、コンビニエンスストア等の有料又は無料で頒布されるレジ袋もしくは布製又は樹脂製エコバッグに替えて使用される風呂敷状エコバッグであって、
周縁部を裏面側に折り返して縫製された矩形状の本体と、
前記周縁部の長辺及び短辺の対向位置に設けられた係止手段と、
前記短辺の中心両端部に取り付けられたリングと、
当該リングに着脱可能に取り付けられた装飾体とからなる」
という、当業界において想到することが困難な特徴的な構成により、
スーパーマーケット又はコンビニエンスストア等において、購入商品をエコバッグやレジ袋への詰め替え作業を不要とし、常に衛生的で、購入商品の包み込み、緊縛作業が容易であり、かつ携行に至便で、従来の風呂敷のイメージを払拭して見映えと使い勝手が良好な風呂敷状エコバッグの提供という、本考案の課題を解決することができた。
【００１８】
○ 第２の考案の効果
第２の考案によれば、
「前記本体は、スーパーマーケット、コンビニエンスストア等で顧客に貸与される買物かご内に収容されたとき、少なくとも当該買物かごの周枠を越える余白部を有する広さである」
という、当業界において想到することが困難な特徴的な構成により、
本体は買物かごに収容した状態で購入商品の形状や大小に関係なく、包み込むことができる自在性と融通性に富んでいる。
【００１９】
○ 第３の考案の効果
第３の考案によれば、
「前記本体の表面及び裏面は、撥水又は防水加工されている布体である」
という、当業界において想到することが困難な特徴的な構成により、
例えば、雨天時において、本体の表面は、撥水又は防水加工されているので、風呂敷状エコバッグ内の商品が濡れたり、湿ったりすることがなく、特に電気製品等の品質等に影響することがない。また本体の裏面も撥水又は防水加工されているので、水滴を含む生鮮食料品等を収納しても、表面には滲み出ないので、シミ等とはならない。また洗濯機等で容易に洗浄することができるので、常に衛生的な買物用バッグとして使用できる効果を奏する。
【００２０】
○ 第４の考案の効果
第４の考案によれば、
「前記係止手段が、雌雄一対からなるホック又は面状ファスナーである」
という、当業界において想到することが困難な特徴的な構成により、
第２の考案と同様に、本体は買物かごに収容した状態で購入商品を包み込んだ後、本体の係止、緊縛作業が簡単にできる。
【００２１】
○ 第５の考案の効果
第５の考案によれば、
「前記装飾体が、リボンテープ、紐状体、造花、キャラクターグッズ又は模造宝石である」
という、当業界において想到することが困難な特徴的な構成により、
旧来の風呂敷は見映えがしない又は体裁が悪いというイメージ又は先入観等を払拭して、特にスーパーマーケット、コンビニエンスストア又はデパート等における女性の買い物において、ファッション性とおしゃれ感覚を与えることができる。
【００２２】
○ 第６の考案の効果
第６の考案によれば、
「前記周縁部の長辺又は短辺の何れかの周縁部にキーホルダーが取り付けられている」
という、当業界において想到することが困難な特徴的な構成により、
例えば、買い物を終えての帰宅時、通常、ショルダーバッグ等に保管している玄関キーーを探す手間を省くことができる、使い勝手良好なエコバッグを提供することができる。
【００２３】
○ 第７の考案の効果
第７の考案によれば、
「前記本体の表面周縁部には飾り片が縫着又は刺繍されている」
という、当業界において想到することが困難な特徴的な構成により、
第５の考案の効果と同様に、風呂敷に関する見映えが悪いという、従来のイメージ又は先入観を払拭し、リボンテープ等の装飾体との相乗効果により、ファッション性とおしゃれ感覚を増すことができる。
【考案を実施するための最良の形態】
【００２４】
以下、本考案に係る、風呂敷状エコバッグに関する最良の実施形態について、図面を参照しながら説明する。
図１（イ）は、本考案に係る、風呂敷状エコバッグを展開した状態の裏面図、同（ロ）は表面図である。
図２は、スーパーマーケット、コンビニエンスストア等で顧客に貸与される買物かごの斜視図である。
図３は、買物かご内に風呂敷状エコバッグを収容した状態の斜視図である。
図４（イ）、（ロ）は、本考案に係る、風呂敷状エコバッグで購入商品を包み込んだ状態の斜視図である。
図５（イ）は、風呂敷状エコバッグを折り畳んだ状態の斜視図、同（ロ）は、風呂敷状エコバッグを巻回した状態の斜視図である。
図６は、係止手段における他の実施態様を示す、風呂敷状エコバッグを展開した状態の裏面図である。
【００２５】
本考案に係る風呂敷状エコバッグ（以下、バッグＡという）は、周縁部を裏面側に折り返して縫製された矩形状の本体１、周縁部の長辺及び短辺の対向位置に設けられた係止手段２及び３、短辺の中心両端部に取り付けられたリング４及び５、当該リング４及び５に着脱可能に取り付けられた装飾体６及び７、本体１の表面周縁部に縫着又は刺繍された飾り片８及びキーホルダー９から構成されている。
【００２６】
図１（イ）、（ロ）に示すように、本体１は、矩形状をなし、長辺の長さ寸法Ｌを約１０６ｃｍ、短辺の長さ寸法Ｗを約９４ｃｍとしている。本体１の表面１ａには幾何図形模様Ｄがデザインされ、周縁部１ｂ、１ｃ、１ｄ及び１ｅには飾り片８、例えばフリルが縫着されている。周縁部１ｂ、１ｃ、１ｄ及び１ｅは、裏面１ｆ側に折り返されて縫製されている。長辺の周縁部１ｂ及び１ｄには、係止手段２である雌雄一対のホック２ａ、２ｂと２ｃ、２ｄが設けられている。短辺の周縁部１ｃ及び１ｅには、係止手段３である雌雄一対のホック３ａ、３ｂと３ｃ、３ｄが設けられている。また図１（イ）に示す短辺の中心Ｃ−Ｃ線両端部には、それぞれリング４、５が取り付けられ、当該リング４、５には装飾体６、７の一種であるリボンテープが着脱可能に取り付けられている。装飾体６、７は、随時、好みのもの例えば、紐状体、造花、キャラクターグッズ又は模造宝石等から選択し、顧客によって取り付けられる。さらにキーホルダー９が、長辺の周縁部１ｂ又は１ｄもしくは短辺の周縁部１ｃ及び１ｅの何れかに取り付けられている。１０は、キーホルダー９に保持された顧客の玄関キーである。なお１１、１２、１３及び１４は、本体１の隅部である。
【００２７】
図２は、スーパーマーケット、コンビニエンスストア等で顧客に貸与される買物かごＢを示している。Ｂａは、買物かごＢの長辺周枠、Ｂｃは同短辺周枠、Ｂｄは開口部、Ｂｅは提げ手である。買物かごＢは、図示のように硬質樹脂製で箱状をなし、店舗によって多少の差異はあるが、一般的には、長辺周枠Ｂａの長さＢＬが、約４５ｃｍ〜５０ｃｍ、短辺周枠Ｂｃの長さＢＷが、約３２ｃｍ〜３６ｃｍ、深さＢＤが約２２ｃｍ〜２５ｃｍとされている。
【００２８】
図３は、買物かごＢ内にバッグＡを収容した状態を示すもので、顧客が図２に示す買物かごＢ内に所望する商品を収容した後、代金精算のために買物かごＢをキャリーカー等でレジ台まで運び、レジ担当店員が当該買物かごＢから商品を取り出して、センサー入力する前に、レジ台上に並置した他の買物かごＢＢ内に顧客が持参したバッグＡを配設した状態である。顧客は図示するように、バッグＡの本体１を左右前後に拡げ、買物かごＢＢの長辺周枠Ｂａに沿うように長辺の周縁部１ｂ及び１ｄを、また買物かごＢＢの短辺周枠Ｂｃに沿うように短辺の周縁部１ｃ及び１ｅをバッグＡの中心ＡＣが買物かごＢＢの中心に合致するように配設し、長辺及び短辺の周縁部１ｂ、１ｃ、１ｄ及び１ｅは、買物かごＢＢの長辺周枠Ｂａ及び短辺周枠Ｂｃを越えて余白部Ｓ１、Ｓ２、Ｓ３及びＳ４が形成されるように配設される。また本体１の表面１ａ側が買物かごＢＢの底部Ｂｅに当接するように下方に押し込まれる。
【００２９】
顧客は、購入商品の精算が終了すると、買物かごＢＢを商品詰め替え台（不図示）まで運び、まず雌雄一対からなる長辺の周縁部１ｂ及び１ｄのホック２ａ２ｂ、２ｃと２ｄを係止し、次に短辺の周縁部１ｃ及び１ｅのホック３ａと３ｂ、３ｃとｄｄを係止する。続いて、本体１の隅部１１と１３、１２と１４を緊縛し、買物かごＢＢから購入商品が入ったバッグＡを引き上げ、買物かごＢＢを所定の保管場所に返却し、当該緊縛部Ａ１とＡ２を提げ手として把持し自宅等に持ち帰る（図４（イ）参照）。また雌雄一対からなる長辺の周縁部１ｂ及び１ｄのホック２ａ２ｂ、２ｃと２ｄを係止し、短辺の周縁部１ｃ及び１ｅのホック３ａと３ｂ、３ｃとｄｄを係止した後、本体１の隅部１１と１４、１２と１３のように、それぞれ対角線上の隅部を緊縛し、買物かごＢＢから購入商品が入ったバッグＡを引き上げ、買物かごＢＢを所定の保管場所に返却し、当該緊縛部Ａ３を把持し自宅等に持ち帰る（図４（イ）参照）こともできる。
【００３０】
図５（イ）は、バッグＡを折り畳んだ状態を示し、同（ロ）は、バッグＡを巻回した状態を示し、顧客は、買い物に持参するショルダーバッグ又はセカンドバッグ等に適する形状にして携行することができる。
【００３１】
図６は、本体１の係止手段２、３を面状ファスナー、例えば雌雄一対のマジックテープ（登録商標、（株）クラレ）２０ａと２０ｂ、３０ａと３０ｂを配設することができる。Ｆ１及びＦ２は、装飾体である造花で、着脱可能となっている。
【図面の簡単な説明】
【００３２】
【図１】は、（イ）は、本考案に係る、風呂敷状エコバッグを展開した状態の裏面図、同（ロ）は表面図である。
【図２】は、スーパーマーケット、コンビニエンスストア等で顧客に貸与される買物かごの斜視図である。
【図３】は、買物かご内に風呂敷状エコバッグを収容した状態の斜視図である。
【図４】は、（イ）、（ロ）は、本考案に係る、風呂敷状エコバッグで購入商品を包み込んだ状態の斜視図である。
【図５】（イ）は、風呂敷状エコバッグを折り畳んだ状態の斜視図、同（ロ）は、風呂敷状エコバッグを巻回した状態の斜視図である。
【図６】は、係止手段における他の実施態様を示す、風呂敷状エコバッグを展開した状態の裏面図である。
【符号の説明】
【００３３】
Ａ                      バッグ
Ｂ                      買物かご
ＢＢ                    他の買物かご
Ｃ−Ｃ                  短辺の中心
Ｄ                      デザイン
Ｓ１、Ｓ２、Ｓ３、Ｓ４  余白部
Ｆ１、Ｆ２              造花
１                      本体
１ａ                    表面
１ｆ                    裏面
１ｂ、１ｃ、１ｄ、１ｅ  周縁部
２、３         係止手段
２ａ、２ｂ、２ｃ、２ｄ  ホック
３ａ、３ｂ、３ｃ、３ｄ  ホック
４、５         リング
６、７         装飾体
８                      飾り片
９                      キーホルダー
１０                    玄関キー
２０ａ、２０ｂ          面状ファスナー
３０ａ、３０ｂ          面状ファスナー
Ｂａ                    長辺周枠
Ｂｃ                    短辺周枠
【図１】
0003146190.tif 000003
【図２】
0003146190.tif 000004
【図３】
0003146190.tif 000005
【図４】
0003146190.tif 000006
【図５】
0003146190.tif 000007
【図６】
0003146190.tif 000008